(57)【特許請求の範囲】
【請求項１】
ブラシ部が、バインダーを介してブリッスルを静電植毛することによって台座に形成された口腔衛生用具において、少なくともブラシ部の一部に植毛領域と非植毛領域とが交互に配されており、一つの植毛領域の中心もしくは中心線から、隣接する植毛領域の中心もしくは中心線までの最短ピッチ間隔が１〜２０ｍｍであって、台座にバインダー充填用の凹部が形成され、該凹部にバインダーが充填された後に、該凹部にブリッスルが静電植毛され、ブリッスルの太さが１〜１５０デニールである口腔衛生用具。
【請求項２】
ブラシ部が台座全体を覆うように形成された請求項１記載の口腔衛生用具。
【請求項３】
ブリッスルの長さが１．０〜１０．０ｍｍである請求項１又は２記載の口腔衛生用具。
【請求項４】
ブリッスルの太さが５〜１００デニールである請求項１〜３の何れか１項に記載の口腔衛生用具。
【請求項５】
植毛領域の１個当たりの面積が０．０１〜１０ｃｍ2 で、植毛密度が２０００〜５０００万本／ｃｍ2 である請求項１〜４の何れか１項に記載の口腔衛生用具。
【発明の詳細な説明】
【０００１】
【発明の属する技術分野】
本発明は、植毛領域と非植毛領域とが交互に配されたブラシ部を静電植毛により形成した口腔衛生用具に関する。
【０００２】
【従来の技術及び発明が解決しようとする課題】
ブラシ部を静電植毛により形成した口腔衛生用具は、いくつか知られている。例えば、特開平７−２７５３０８号公報には、支持体に絹繊維を静電植毛することによって形成されたマッサージ部を有する歯茎マッサージ具が記載され、特開平１１−１１３９３３号公報には、支持体に繊維長１〜１０mmの繊維を静電植毛することによって形成された植毛部を有する舌苔除去具が記載され、特開平９−２０６１３２号公報には、特定の芯部に短繊維の用毛を静電植毛することによって形成されたブラシ部を有する歯間用ブラシが記載されている。
【０００３】
静電植毛は、ブリッスルをそろえて且つ緻密にしかも速やかに植毛することができるなどの利点を有している。
しかし、静電植毛は、ブリッスルがバインダーのみで台座に結合されているため、植毛のはりやこしが弱く、ブリッスルが長いと、植毛時にブリッスルが寝てしまい、ブラシ部の形状を一定に維持することができないので、静電植毛によりブリッスルを立たせて植毛するには、ブリッスルを密集させて植える必要があった。
そのため、前記公報に記載の口腔衛生用具を含めて静電植毛技術を利用した従来の口腔衛生用具は何れも、ブリッスルが基材上に均一且つ緻密に植毛されており、ブラシ部に非植毛領域が設けられていない。
その結果、前記従来の口腔衛生用具は、歯間部などの隙間や複雑な凹凸面に磨き残しが生じたり、保管時の通気性が悪く衛生的に好ましくなく、特に、歯ブラシのような菌が繁殖しやすい用具には、衛生的な問題から静電植毛技術を利用しにくかった。
【０００４】
本発明の目的は、植毛領域と非植毛領域とが交互に配されたブラシ部を静電植毛により形成した口腔衛生用具であって、ブリッスルが寝ることなくブラシ部の形状を一定に維持することができ、且つ口腔内の清掃効果や歯垢除去効果が高く、しかも保管時の通気性の良い衛生的な口腔衛生用具を提供することにある。
【０００５】
【課題を解決するための手段】
本発明は、ブラシ部が、バインダーを介してブリッスルを静電植毛することによって台座に形成された口腔衛生用具において、少なくともブラシ部の一部に植毛領域と非植毛領域とが交互に配されており、一つの植毛領域の中心もしくは中心線から、隣接する植毛領域の中心もしくは中心線までの最短ピッチ間隔が１〜２０mmである口腔衛生用具を提供することにより、前記目的を達成したものである。
尚、ここで言う台座とは、ブリッスルが植毛される一表面を有するものに限らず、周面に植毛可能なものも含めて言う。
【０００６】
【作用】
本発明の口腔衛生用具は、植毛領域が間隔を置いて配されているため、例えば歯ブラシとした場合には、平線で植毛した通常の歯ブラシと同様の感触と歯垢除去効果が得られる上、平線で植毛した通常の歯ブラシとは異なり、台座に埋まっているブリッスルが存在しないため、通気性が良く菌の繁殖を抑えられる。
また、本発明の口腔衛生用具は、台座の厚みや形状に制限されることなく植毛することができるため、口腔内の軟組織に台座が接触しないよう台座全体に植毛したり、口腔内での操作性を良くするため台座厚みを十分に薄くすることが可能である。
【０００７】
【発明の実施の形態】
以下、本発明の口腔衛生用具を、その好ましい実施形態について図面を参照しながら詳しく説明する。図１は、本発明の口腔衛生用具の一例を示す概略断面図であり、図２は、図１に示す口腔衛生用具の平面図である。また、図３、図４及び図５は、それぞれ本発明の口腔衛生用具の他の一例を示す概略断面図である。また、図６及び図７は、それぞれ本発明の口腔衛生用具の他の一例を示す概略平面図である。
【０００８】
先ず図１及び図２に示す本発明の口腔衛生用具について説明する。
本実施形態の口腔衛生用具は、図１及び図２に示すように、多数のブリッスル１ａを束状に植毛した植毛領域１を、各植毛領域１、１間に非植毛領域２を設けて等間隔で、台座３の幅方向に４列で各列当たり６個配置したブラシ部４を有するものである。
【０００９】
そして、前記植毛領域１は、バインダー５を介してブリッスル１ａを静電植毛することによって形成されており、隣接する植毛領域１、１間のピッチ間隔ｄ（列内で隣接する植毛領域１、１間のピッチ間隔及び隣接する列間で隣接する植毛領域１、１間のピッチ間隔）は、１〜２０mm、好ましくは２〜１０mm、より好ましくは２〜５mmである。また、前記植毛領域１の１個当たりの面積は、好ましくは０．０１〜１０cm2 、より好ましくは０．０１〜５cm2 であり、またブリッスルの植毛密度は、好ましくは２０００〜５０００万本／cm2 、より好ましくは４０００〜２００万本／cm2 である。
【００１０】
また、前記ブリッスル１ａとしては、太さが１〜１５０デニールで且つ長さが１．０〜１０．０mm、特に、太さが５〜１００デニールで且つ長さが２．０〜８．０mmであることが好ましく、その材質は、ナイロン、ポリプロピレン、ポリブチレンテレフタレート、レーヨン、ポリエステルなどの合成樹脂でも、獣毛などの天然毛でも良く、用途に応じて適宜選択される。
また、前記ブリッスルを固定するバインダー５としては、通常、アクリル系エマルジョン、ウレタン系エマルジョンなどが用いられる。
ブリッスルの静電植毛は、前記植毛領域１を形成する前記台座３の所定箇所に前記バインダーを塗布し、常法に従って行えばよい。
尚、本実施形態の口腔衛生用具において、前記台座３は、首部６を介して、従来の口腔衛生用具における柄部と同様な柄部（図示せず）に連結されている。
【００１１】
次に図３に示す本発明の口腔衛生用具について説明する。
本実施形態の口腔衛生用具は、図３に示すように、台座３の厚みを図１及び図２に示す実施形態の口腔衛生用具における台座の厚みより薄くし、該台座３の全体を覆うようにブラシ部４を形成したものである。また、図３に示すように、本実施形態における前記ブラシ部４は、台座３の先端面の植毛領域１を、その列方向のピッチ間隔が台座３の先端面以外の表面の植毛領域のピッチ間隔よりも狭いピッチ間隔で配してある。
図３に示す実施形態の口腔衛生用具は、前記以外の構成は図１及び図２に示す実施形態の口腔衛生用具と同様に構成されている。
【００１２】
次に図４に示す本発明の口腔衛生用具について説明する。
本実施形態の口腔衛生用具は、図４に示すように、植毛領域１を形成する台座３の所定箇所にバインダー充填用の凹部７が形成され、該凹部７に充填されたバインダー５を介してブリッスル１ａが固定されたものであり、これら以外の構成は図１に示す実施形態の口腔衛生用具と同じである。
図４に示す実施形態の口腔衛生用具のように、バインダー充填用の凹部７を設けることにより、バインダーが台座に強固に固定すると共に、バインダーの納まり具合が良く外観的に美麗に植毛することができる。
【００１３】
次に図５に示す本発明の口腔衛生用具について説明する。
本実施形態の口腔衛生用具は、図５に示すように、ブラシ部４が、台座３に着脱可能に装着された基材８上に形成されたものであり、これら以外の構成は図１に示す実施形態の口腔衛生用具と同じである。前記基材８の台座３への着脱機構としては、例えばシール、嵌合、マジックテープなどがあげられる。
図５に示す実施形態の口腔衛生用具のように、ブラシ部４を台座３に着脱可能に装着された基材８上に形成することにより、ブラシ部を使用後簡単に取り外せるため、柄部のリサイクルが可能であり、またブラシ部を指先に取り付けて使用することも可能である。
【００１４】
本発明の口腔衛生用具における植毛領域１と非植毛領域２との配置状態は、前記の実施形態のものに何等限定されるものではない。
例えば、図１に示す実施形態では植毛領域１を等間隔で配置したが、植毛領域１のピッチ間隔ｄが１〜２０mmである範囲内において植毛領域１を適宜異なる間隔で配置してもよい。
また、図１に示す実施形態では植毛領域１を４列で各列当たり６個配置したが、植毛領域１の列数は制限されるものではなく、また各列当たりの植毛領域１の個数も、用途に応じて適宜定められ且つ各列同数でも異数でもよい。
また、図１に示す実施形態では植毛領域１を規則的に縦横に点在させたが、例えば、図６及び図７に示すように、植毛領域１をブロック状に所望のパターンで設けてもよい。尚、図６及び図７に示す実施形態における植毛領域間のピッチ間隔は、図６及び図７にｄ’で示したように、一つの植毛領域の中心もしくは中心線から、隣接する植毛領域の中心もしくは中心線までの最短ピッチ間隔である。また、図６及び図７に示す実施形態の口腔衛生用具は、植毛領域をブロック状に設けた以外の構成は図１に示す実施形態の口腔衛生用具と同様に構成されている。
【００１５】
本発明の口腔衛生用具は、歯ブラシ、歯茎マッサージ具、舌ブラシ、歯間ブラシ、義歯ブラシなどとして好適に用いられる。
【００１６】
【発明の効果】
本発明の口腔衛生用具は、植毛領域と非植毛領域とが交互に配されたブラシ部を静電植毛により形成した口腔衛生用具であって、ブリッスルが寝ることなくブラシ部の形状を一定に維持することができ、且つ口腔内の清掃効果や歯垢除去効果が高く、しかも保管時の通気性の良い衛生的な口腔衛生用具である。
また、本発明の口腔衛生用具は、ブラシ部が静電植毛により形成されているため、平線で植毛した歯ブラシとは異なり金属の平線が存在しないので、分別や焼却が容易でエコロジカルである。
【図面の簡単な説明】
【図１】図１は、本発明の口腔衛生用具の一例を示す概略断面図である。
【図２】図２は、図１に示す口腔衛生用具の平面図である。
【図３】図３は、本発明の口腔衛生用具の他の一例を示す概略断面図である。
【図４】図４は、本発明の口腔衛生用具のさらに別の一例を示す概略断面図である。
【図５】図５は、本発明の口腔衛生用具のさらに別の一例を示す概略断面図である。
【図６】図６は、植毛領域をブロック状に設けた本発明の口腔衛生用具の一例を示す概略平面図である。
【図７】図７は、植毛領域をブロック状に設けた本発明の口腔衛生用具の別の一例を示す概略平面図である。
【符号の説明】
１  植毛領域
１ａ  ブリッスル
２  非植毛領域
３  台座
４  ブラシ部
５  バインダー
ｄ  植毛領域のピッチ間隔
【図１】
0004428800.tif 000002
【図２】
0004428800.tif 000003
【図３】
0004428800.tif 000004
【図４】
0004428800.tif 000005
【図５】
0004428800.tif 000006
【図６】
0004428800.tif 000007
【図７】
0004428800.tif 000008